(57)【要約】【課題】センサからの信号を自動的にＡＤ変換することができ、多様なセンサに対応することができ、簡単かつ低コストで汎用性の高く機能更新が簡単で高い信頼性を持った計測システムを提供する。【解決手段】計測システムは、センサ３からのアナログ信号をデジタルデータに変換するＡＤモジュール１と、電源４から受電した電力をＡＤモジュール１に供給し、データを外部へ送信するネットワークモジュール２から構成される。モジュール１は、通信・受給電メスコネクタ１０と、通信・受給電オスコネクタ１１と、センサ３からのアナログ信号をデータに変換するＡＤ変換部を備える。モジュール２は、通信・受給電オスコネクタ１１と着脱自在に嵌合する通信・受給電メスコネクタ２０と、電源４と着脱自在に嵌合する通信・受給電オスコネクタ２１と、モジュール１から受信したデータを送信する通信部を備える。【選択図】  図１
2020067856.tif 000002
【特許請求の範囲】
【請求項１】
センサから入力されたアナログ信号をデジタルデータに変換するように構成されたＡＤモジュールと、
外部の電源から受電した電力を前記ＡＤモジュールに供給し、前記デジタルデータを外部へ無線送信または有線送信するように構成されたネットワークモジュールとから構成され、
前記ＡＤモジュールは、
第１の通信・受給電コネクタと、
第２の通信・受給電コネクタと、
前記第１の通信・受給電コネクタの電源端子と前記第２の通信・受給電コネクタの電源端子間を接続するように構成された第１の電源線と、
前記第１の通信・受給電コネクタに接続されたセンサから入力されたアナログ信号を前記デジタルデータに変換するように構成されたＡＤ変換部とを備え、
前記ネットワークモジュールは、
前記ＡＤモジュールの第２の通信・受給電コネクタと着脱自在に嵌合する第３の通信・受給電コネクタと、
前記電源と着脱自在に嵌合する第４の通信・受給電コネクタと、
前記第３の通信・受給電コネクタの電源端子と前記第４の通信・受給電コネクタの電源端子間を接続するように構成された第２の電源線と、
前記第３の通信・受給電コネクタを介して前記ＡＤモジュールから受信したデジタルデータを外部へ無線送信または有線送信するように構成された通信部とを備えることを特徴とする計測システム。
【請求項２】
請求項１記載の計測システムにおいて、
前記ＡＤモジュールは、前記デジタルデータを暗号化した暗号化デジタルデータを生成するように構成された暗号化部をさらに備え、
前記ネットワークモジュールの通信部は、前記第３の通信・受給電コネクタを介して前記ＡＤモジュールから受信した暗号化デジタルデータを外部へ無線送信または有線送信することを特徴とする計測システム。
【請求項３】
センサから入力されたアナログ信号をデジタルデータに変換するように構成されたＡＤモジュールと、
他のモジュールから受電した電力を前記ＡＤモジュールに供給し、前記デジタルデータを暗号化した暗号化デジタルデータを生成するように構成された暗号化モジュールと、
外部の電源から受電した電力を前記暗号化モジュールに供給し、前記暗号化デジタルデータを外部へ無線送信または有線送信するように構成されたネットワークモジュールとから構成され、
前記ＡＤモジュールは、
第１の通信・受給電コネクタと、
第２の通信・受給電コネクタと、
前記第１の通信・受給電コネクタの電源端子と前記第２の通信・受給電コネクタの電源端子間を接続するように構成された第１の電源線と、
前記第１の通信・受給電コネクタに接続されたセンサから入力されたアナログ信号を前記デジタルデータに変換するように構成されたＡＤ変換部とを備え、
前記暗号化モジュールは、
前記ＡＤモジュールの第２の通信・受給電コネクタと着脱自在に嵌合する第３の通信・受給電コネクタと、
前記ネットワークモジュールの通信・受給電コネクタと着脱自在に嵌合する第４の通信・受給電コネクタと、
前記第３の通信・受給電コネクタの電源端子と前記第４の通信・受給電コネクタの電源端子間を接続するように構成された第２の電源線と、
前記第３の通信・受給電コネクタを介して前記ＡＤモジュールから受信したデジタルデータを暗号化した暗号化デジタルデータを生成するように構成された暗号化部とを備え、
前記ネットワークモジュールは、
前記暗号化モジュールの第４の通信・受給電コネクタと着脱自在に嵌合する第５の通信・受給電コネクタと、
前記電源と着脱自在に嵌合する第６の通信・受給電コネクタと、
前記第５の通信・受給電コネクタの電源端子と前記第６の通信・受給電コネクタの電源端子間を接続するように構成された第３の電源線と、
前記第５の通信・受給電コネクタを介して前記暗号化モジュールから受信した暗号化デジタルデータを外部へ無線送信または有線送信するように構成された通信部とを備えることを特徴とする計測システム。
【請求項４】
センサの通信・受給電コネクタと着脱自在に嵌合する、前記センサからの信号入力用の第１の通信・受給電コネクタと、
他のモジュールの通信・受給電コネクタと着脱自在に嵌合する、前記他のモジュールとのデータ通信および受電用の第２の通信・受給電コネクタと、
前記第１の通信・受給電コネクタの電源端子と前記第２の通信・受給電コネクタの電源端子間を接続するように構成された電源線と、
前記第１の通信・受給電コネクタに接続されたセンサから入力されたアナログ信号をデジタルデータに変換するように構成されたＡＤ変換部と、
前記デジタルデータを前記第２の通信・受給電コネクタを介して前記他のモジュールに送信するように構成されたデータ送信部とを備えることを特徴とする電子回路モジュール。
【請求項５】
請求項４記載の電子回路モジュールにおいて、
前記デジタルデータを暗号化した暗号化デジタルデータを生成するように構成された暗号化部をさらに備え、
前記データ送信部は、前記暗号化デジタルデータを前記第２の通信・受給電コネクタを介して前記他のモジュールに送信することを特徴とする電子回路モジュール。
【請求項６】
他の第１のモジュールの通信・受給電コネクタと着脱自在に嵌合する、前記第１のモジュールとのデータ通信および給電用の第１の通信・受給電コネクタと、
他の第２のモジュールの通信・受給電コネクタと着脱自在に嵌合する、前記第２のモジュールとのデータ通信および受電用の第２の通信・受給電コネクタと、
前記第１の通信・受給電コネクタの電源端子と前記第２の通信・受給電コネクタの電源端子間を接続するように構成された電源線と、
前記第１の通信・受給電コネクタを介して前記第１のモジュールから受信したデジタルデータを暗号化した暗号化デジタルデータを生成するように構成された暗号化部と、
前記暗号化デジタルデータを前記第２の通信・受給電コネクタを介して前記第２のモジュールに送信するように構成されたデータ送信部とを備えることを特徴とする電子回路モジュール。
【請求項７】
他のモジュールの通信・受給電コネクタと着脱自在に嵌合する、前記他のモジュールとのデータ通信および給電用の第１の通信・受給電コネクタと、
外部の電源の通信・受給電コネクタと着脱自在に嵌合する、前記電源からの受電用の第２の通信・受給電コネクタと、
前記第１の通信・受給電コネクタの電源端子と前記第２の通信・受給電コネクタの電源端子間を接続するように構成された電源線と、
前記第１の通信・受給電コネクタを介して前記他のモジュールから受信したデータを外部へ無線送信または有線送信するように構成された通信部とを備えることを特徴とする電子回路モジュール。
【請求項８】
他のモジュールの通信・受給電コネクタと着脱自在に嵌合する、前記他のモジュールとのデータ通信および受電用の通信・受給電コネクタと、
予め設定されたデジタルデータを出力するように構成されたデータ出力部と、
前記デジタルデータをアナログ信号に変換し、このアナログ信号を前記通信・受給電コネクタを介して前記他のモジュールへ出力するように構成されたＤＡ変換部とを備えることを特徴とする電子回路モジュール。
【請求項９】
他のモジュールの通信・受給電コネクタと着脱自在に嵌合する、前記他のモジュールとのデータ通信および給電用の第１の通信・受給電コネクタと、
外部の電源の通信・受給電コネクタと着脱自在に嵌合する、前記電源からの受電用の第２の通信・受給電コネクタと、
表示器と、
前記第１の通信・受給電コネクタの電源端子と前記第２の通信・受給電コネクタの電源端子間を接続するように構成された電源線と、
前記第１の通信・受給電コネクタを介して前記他のモジュールから受信したデジタルデータが示す値を、前記表示器に数値表示させるように構成されたデータ表示部とを備えることを特徴とする電子回路モジュール。
【請求項１０】
請求項９記載の電子回路モジュールにおいて、
前記第１の通信・受給電コネクタを介して前記他のモジュールから受信した暗号化デジタルデータを復号するように構成された復号部をさらに備え、
前記データ表示部は、前記復号部によって復号されたデジタルデータが示す値を、前記表示器に数値表示させることを特徴とする電子回路モジュール。
【発明の詳細な説明】
【技術分野】
【０００１】
本発明は、センサからのデータを収集して外部へ送信する計測システムおよび電子回路モジュールに関するものである。
【背景技術】
【０００２】
従来、センサからの計測信号をＡＤ（Analog-to-Digital）変換して、ＡＤ変換後の計測データをＵＳＢ（Universal Serial Bus）ケーブルを介してコンピュータへ送るＵＳＢ変換器が提案されている（特許文献１参照）。
【０００３】
しかしながら、特許文献１に開示されたＵＳＢ変換器は、コンピュータからのコマンド信号に基づいて処理を行い、計測データをコンピュータへ送るものであり、ＵＳＢケーブルを介してコンピュータと接続する必要があった。
【０００４】
従来より、ＩｏＴ（Internet of Things）用のセンサおよび次世代の新しいセンサが開発されているが、社会実装に繋がるケースが少ない。その一つの要因として、ネットワークを介してデータを収集したり、制御したりするための計測システム構築の技術面と費用の課題があった。特許文献１に開示されたＵＳＢ変換器によれば、センサからの計測信号をデジタルデータに変換することができるが、コンピュータを利用する必要があり、またコンピュータからＵＳＢ変換器を制御するためのソフトウェアも必要となるので、汎用性がなく、手間と費用がかかるという課題があった。
また、従来のＩｏＴ用のシステムでは通信やセンサなどの新しい技術に対応するためには、大掛かりなシステム変更を行う必要があった。また、計測したデジタルデータの信頼性、信憑性を確保するための暗号化技術も必要とされている。
【先行技術文献】
【特許文献】
【０００５】
【特許文献１】特開２００７−２１３２６０号公報
【発明の概要】
【発明が解決しようとする課題】
【０００６】
本発明は、上記課題を解決するためになされたもので、センサからの計測信号を自動的にＡＤ変換することができ、電源と信号およびコネクタの仕様を満足するモジュールの追加と変更を行うことで機能追加と更新ができるので、多様なセンサにも対応することができ、簡単かつ低コストで汎用性の高く機能更新が簡単で高い信頼性を持った計測システムおよび電子回路モジュールを提供することを目的とする。
【課題を解決するための手段】
【０００７】
本発明の計測システムは、センサから入力されたアナログ信号をデジタルデータに変換するように構成されたＡＤモジュールと、外部の電源から受電した電力を前記ＡＤモジュールに供給し、前記デジタルデータを外部へ無線送信または有線送信するように構成されたネットワークモジュールとから構成され、前記ＡＤモジュールは、第１の通信・受給電コネクタと、第２の通信・受給電コネクタと、前記第１の通信・受給電コネクタの電源端子と前記第２の通信・受給電コネクタの電源端子間を接続するように構成された第１の電源線と、前記第１の通信・受給電コネクタに接続されたセンサから入力されたアナログ信号を前記デジタルデータに変換するように構成されたＡＤ変換部とを備え、前記ネットワークモジュールは、前記ＡＤモジュールの第２の通信・受給電コネクタと着脱自在に嵌合する第３の通信・受給電コネクタと、前記電源と着脱自在に嵌合する第４の通信・受給電コネクタと、前記第３の通信・受給電コネクタの電源端子と前記第４の通信・受給電コネクタの電源端子間を接続するように構成された第２の電源線と、前記第３の通信・受給電コネクタを介して前記ＡＤモジュールから受信したデジタルデータを外部へ無線送信または有線送信するように構成された通信部とを備えることを特徴とするものである。
また、本発明の計測システムの１構成例において、前記ＡＤモジュールは、前記デジタルデータを暗号化した暗号化デジタルデータを生成するように構成された暗号化部をさらに備え、前記ネットワークモジュールの通信部は、前記第３の通信・受給電コネクタを介して前記ＡＤモジュールから受信した暗号化デジタルデータを外部へ無線送信または有線送信することを特徴とするものである。
【０００８】
また、本発明の計測システムは、センサから入力されたアナログ信号をデジタルデータに変換するように構成されたＡＤモジュールと、他のモジュールから受電した電力を前記ＡＤモジュールに供給し、前記デジタルデータを暗号化した暗号化デジタルデータを生成するように構成された暗号化モジュールと、外部の電源から受電した電力を前記暗号化モジュールに供給し、前記暗号化デジタルデータを外部へ無線送信または有線送信するように構成されたネットワークモジュールとから構成され、前記ＡＤモジュールは、第１の通信・受給電コネクタと、第２の通信・受給電コネクタと、前記第１の通信・受給電コネクタの電源端子と前記第２の通信・受給電コネクタの電源端子間を接続するように構成された第１の電源線と、前記第１の通信・受給電コネクタに接続されたセンサから入力されたアナログ信号を前記デジタルデータに変換するように構成されたＡＤ変換部とを備え、前記暗号化モジュールは、前記ＡＤモジュールの第２の通信・受給電コネクタと着脱自在に嵌合する第３の通信・受給電コネクタと、前記ネットワークモジュールの通信・受給電コネクタと着脱自在に嵌合する第４の通信・受給電コネクタと、前記第３の通信・受給電コネクタの電源端子と前記第４の通信・受給電コネクタの電源端子間を接続するように構成された第２の電源線と、前記第３の通信・受給電コネクタを介して前記ＡＤモジュールから受信したデジタルデータを暗号化した暗号化デジタルデータを生成するように構成された暗号化部とを備え、前記ネットワークモジュールは、前記暗号化モジュールの第４の通信・受給電コネクタと着脱自在に嵌合する第５の通信・受給電コネクタと、前記電源と着脱自在に嵌合する第６の通信・受給電コネクタと、前記第５の通信・受給電コネクタの電源端子と前記第６の通信・受給電コネクタの電源端子間を接続するように構成された第３の電源線と、前記第５の通信・受給電コネクタを介して前記暗号化モジュールから受信した暗号化デジタルデータを外部へ無線送信または有線送信するように構成された通信部とを備えることを特徴とするものである。
【０００９】
また、本発明の電子回路モジュールは、センサの通信・受給電コネクタと着脱自在に嵌合する、前記センサからの信号入力用の第１の通信・受給電コネクタと、他のモジュールの通信・受給電コネクタと着脱自在に嵌合する、前記他のモジュールとのデータ通信および受電用の第２の通信・受給電コネクタと、前記第１の通信・受給電コネクタの電源端子と前記第２の通信・受給電コネクタの電源端子間を接続するように構成された電源線と、前記第１の通信・受給電コネクタに接続されたセンサから入力されたアナログ信号をデジタルデータに変換するように構成されたＡＤ変換部と、前記デジタルデータを前記第２の通信・受給電コネクタを介して前記他のモジュールに送信するように構成されたデータ送信部とを備えることを特徴とするものである。
また、本発明の電子回路モジュールの１構成例は、前記デジタルデータを暗号化した暗号化デジタルデータを生成するように構成された暗号化部をさらに備え、前記データ送信部は、前記暗号化デジタルデータを前記第２の通信・受給電コネクタを介して前記他のモジュールに送信することを特徴とするものである。
【００１０】
また、本発明の電子回路モジュールは、他の第１のモジュールの通信・受給電コネクタと着脱自在に嵌合する、前記第１のモジュールとのデータ通信および給電用の第１の通信・受給電コネクタと、他の第２のモジュールの通信・受給電コネクタと着脱自在に嵌合する、前記第２のモジュールとのデータ通信および受電用の第２の通信・受給電コネクタと、前記第１の通信・受給電コネクタの電源端子と前記第２の通信・受給電コネクタの電源端子間を接続するように構成された電源線と、前記第１の通信・受給電コネクタを介して前記第１のモジュールから受信したデジタルデータを暗号化した暗号化デジタルデータを生成するように構成された暗号化部と、前記暗号化デジタルデータを前記第２の通信・受給電コネクタを介して前記第２のモジュールに送信するように構成されたデータ送信部とを備えることを特徴とするものである。
また、本発明の電子回路モジュールは、他のモジュールの通信・受給電コネクタと着脱自在に嵌合する、前記他のモジュールとのデータ通信および給電用の第１の通信・受給電コネクタと、外部の電源の通信・受給電コネクタと着脱自在に嵌合する、前記電源からの受電用の第２の通信・受給電コネクタと、前記第１の通信・受給電コネクタの電源端子と前記第２の通信・受給電コネクタの電源端子間を接続するように構成された電源線と、前記第１の通信・受給電コネクタを介して前記他のモジュールから受信したデータを外部へ無線送信または有線送信するように構成された通信部とを備えることを特徴とするものである。
また、本発明の電子回路モジュールは、他のモジュールの通信・受給電コネクタと着脱自在に嵌合する、前記他のモジュールとのデータ通信および受電用の通信・受給電コネクタと、予め設定されたデジタルデータを出力するように構成されたデータ出力部と、前記デジタルデータをアナログ信号に変換し、このアナログ信号を前記通信・受給電コネクタを介して前記他のモジュールへ出力するように構成されたＤＡ変換部とを備えることを特徴とするものである。
【００１１】
また、本発明の電子回路モジュールは、他のモジュールの通信・受給電コネクタと着脱自在に嵌合する、前記他のモジュールとのデータ通信および給電用の第１の通信・受給電コネクタと、外部の電源の通信・受給電コネクタと着脱自在に嵌合する、前記電源からの受電用の第２の通信・受給電コネクタと、表示器と、前記第１の通信・受給電コネクタの電源端子と前記第２の通信・受給電コネクタの電源端子間を接続するように構成された電源線と、前記第１の通信・受給電コネクタを介して前記他のモジュールから受信したデジタルデータが示す値を、前記表示器に数値表示させるように構成されたデータ表示部とを備えることを特徴とするものである。
また、本発明の電子回路モジュールの１構成例は、前記第１の通信・受給電コネクタを介して前記他のモジュールから受信した暗号化デジタルデータを復号するように構成された復号部をさらに備え、前記データ表示部は、前記復号部によって復号されたデジタルデータが示す値を、前記表示器に数値表示させることを特徴とするものである。
【発明の効果】
【００１２】
本発明によれば、ＡＤモジュールとネットワークモジュールとを設け、センサとＡＤモジュールとの間、ＡＤモジュールとネットワークモジュールとの間、およびネットワークモジュールと電源との間を着脱自在の構造とすることにより、センサから入力されたアナログ信号を自動的にＡＤ変換することができ、多様なセンサに対応することができ、汎用性の高い計測システムを簡単かつ低コストで実現することができ、社会実装に繋げることができる。また、今後開発されるセンサの場合も、ＡＤモジュールへの入力の仕様をＡＤモジュールの規格に合わせることで、直ぐに実証実験が可能となる。また、本発明では、デジタルデータを別の無線通信規格または有線通信規格で送信したい場合に、その無線通信規格または有線通信規格に対応したネットワークモジュールに交換することで、無線通信規格または有線通信規格を簡単に切り替えることができる。
【００１３】
また、本発明では、ＡＤモジュールに暗号化部を設けることにより、利用者が特に意識することなく、セキュリティ性を確保したデータ転送を実現できる。
【００１４】
また、本発明では、ＡＤモジュールとは別に暗号化モジュールを設けることにより、デジタルデータを別の暗号化方式で暗号化して送信したい場合に、その暗号化方式に対応した暗号化モジュールに交換することで、暗号化方式を簡単に切り替えることができる。
【００１５】
また、本発明では、電子回路モジュールに、通信・受給電コネクタとデータ出力部とＤＡ変換部とを設けることにより、既知の値のアナログ信号を、ＡＤ変換機能を備えた他のモジュールに入力することができる。
【００１６】
また、本発明では、電子回路モジュールに、第１の通信・受給電コネクタと第２の通信・受給電コネクタと表示器と電源線とデータ表示部とを設けることにより、他のモジュールの出力データの値を表示器に表示させることができ、他のモジュールの性能を検査することができる。
【図面の簡単な説明】
【００１７】
【図１】図１は、本発明の第１の実施例に係る電子回路モジュールであるＡＤモジュールとネットワークモジュールとを示す図である。
【図２】図２は、本発明の第１の実施例に係るＡＤモジュールの構成を示すブロック図である。
【図３】図３は、本発明の第１の実施例に係るＡＤモジュールのセンサからの入力処理を説明するフローチャートである。
【図４】図４は、本発明の第１の実施例に係るＡＤモジュールのネットワークモジュールとの通信処理を説明するフローチャートである。
【図５】図５は、本発明の第１の実施例に係るネットワークモジュールの構成を示すブロック図である。
【図６】図６は、本発明の第１の実施例に係るネットワークモジュールのＡＤモジュールとの通信処理を説明するフローチャートである。
【図７】図７は、本発明の第１の実施例に係るネットワークモジュールのネットワークとの通信処理を説明するフローチャートである。
【図８】図８は、本発明の第１の実施例に係る計測システムの構成を示すブロック図である。
【図９】図９は、本発明の第２の実施例に係る電子回路モジュールであるアナログ出力モジュールとモニタモジュールとを示す図である。
【図１０】図１０は、本発明の第２の実施例に係るアナログ出力モジュールの構成を示すブロック図である。
【図１１】図１１は、本発明の第２の実施例に係るアナログ出力モジュールのＡＤモジュールへの出力処理を説明するフローチャートである。
【図１２】図１２は、本発明の第２の実施例に係るモニタモジュールの構成を示すブロック図である。
【図１３】図１３は、本発明の第２の実施例に係るモニタモジュールの表示処理を説明するフローチャートである。
【図１４】図１４は、本発明の第３の実施例に係る電子回路モジュールであるセンサ接続モジュールを示す図である。
【図１５】図１５は、本発明の第４の実施例に係る電子回路モジュールであるＡＤモジュールと暗号化モジュールとを示す図である。
【図１６】図１６は、本発明の第４の実施例に係るＡＤモジュールの構成を示すブロック図である。
【図１７】図１７は、本発明の第４の実施例に係るＡＤモジュールのセンサからの入力処理を説明するフローチャートである。
【図１８】図１８は、本発明の第４の実施例に係るＡＤモジュールの暗号化モジュールとの通信処理を説明するフローチャートである。
【図１９】図１９は、本発明の第４の実施例に係る暗号化モジュールの構成を示すブロック図である。
【図２０】図２０は、本発明の第４の実施例に係る暗号化モジュールのＡＤモジュールとの通信処理を説明するフローチャートである。
【図２１】図２１は、本発明の第４の実施例に係る暗号化モジュールのネットワークモジュールとの通信処理を説明するフローチャートである。
【図２２】図２２は、本発明の第５の実施例に係る電子回路モジュールであるモニタモジュールを示す図である。
【図２３】図２３は、本発明の第５の実施例に係るモニタモジュールの構成を示すブロック図である。
【図２４】図２４は、本発明の第５の実施例に係るモニタモジュールの表示処理を説明するフローチャートである。
【図２５】図２５は、本発明の第６の実施例に係る電子回路モジュールであるストレージモジュールを示す図である。
【図２６】図２６は、本発明の第６の実施例に係るストレージモジュールの構成を示すブロック図である。
【図２７】図２７は、通信・受給電メスコネクタ側に接続される他のモジュールと本発明の第６の実施例に係るストレージモジュールとの通信処理を説明するフローチャートである。
【図２８】図２８は、通信・受給電オスコネクタ側に接続される他のモジュールと本発明の第６の実施例に係るストレージモジュールとの通信処理を説明するフローチャートである。
【発明を実施するための形態】
【００１８】
［第１の実施例］
以下、本発明の実施例について図面を参照して説明する。図１（Ａ）〜図１（Ｃ）は本発明の第１の実施例に係る電子回路モジュールであるＡＤモジュールとネットワークモジュール（以下、ＮＷモジュール）とを示す図である。図１（Ａ）はＡＤモジュール１とＮＷモジュール２の個々の外観を示し、図１（Ｂ）はＡＤモジュール１とＮＷモジュール２とを接続した状態を示し、図１（Ｃ）はさらにＡＤモジュール１にセンサ３のコネクタを接続し、ＮＷモジュール２に電源４を接続した状態を示している。
【００１９】
ＡＤモジュール１は、センサ３の通信・受給電コネクタと着脱自在に嵌合する、センサ３からの信号入力および給電用の通信・受給電メスコネクタ１０と、ＮＷモジュール２の通信・受給電コネクタと着脱自在に嵌合する、ＮＷモジュール２とのデータ通信および受電用の通信・受給電オスコネクタ１１とを備えている。ＡＤモジュール１は、通信・受給電メスコネクタ１０から入力されたアナログ信号をＡＤ変換し、ＡＤ変換後のデジタルデータをさらに暗号化して、暗号化デジタルデータを蓄積する機能と、通信・受給電オスコネクタ１１（または通信・受給電メスコネクタ１０）から受電する機能と、受電した電力を通信・受給電メスコネクタ１０（または通信・受給電オスコネクタ１１）を介して外部へ給電する機能とを有している。
【００２０】
ＮＷモジュール２は、ＡＤモジュール１の通信・受給電オスコネクタ１１と着脱自在に嵌合する、ＡＤモジュール１とのデータ通信および給電用の通信・受給電メスコネクタ２０と、電源４の通信・受給電コネクタと着脱自在に嵌合する、電源４からの受電用の通信・受給電オスコネクタ２１と、無線通信用のアンテナ２２と、有線通信用の通信コネクタ２８とを備えている。ＮＷモジュール２は、通信・受給電メスコネクタ２０に接続されたモジュール（ＡＤモジュール１）からデータを読み出して、データをネットワークを介して外部へ無線送信または有線送信する機能と、通信・受給電オスコネクタ２１（または通信・受給電メスコネクタ２０）から受電する機能と、受電した電力を通信・受給電メスコネクタ２０（または通信・受給電オスコネクタ２１）を介して外部へ給電する機能とを有している。
【００２１】
このように、ＡＤモジュール１とＮＷモジュール２とは、それぞれ同一規格のオスとメスのコネクタを備えており、ＡＤモジュール１の通信・受給電オスコネクタ１１をＮＷモジュール２の通信・受給電メスコネクタ２０に挿入することで、図１（Ｂ）に示すようにＡＤモジュール１とＮＷモジュール２とを接続することが可能である。
【００２２】
さらに、図１（Ｃ）に示すように、センサ３の通信・受給電オスコネクタ３０をＡＤモジュール１の通信・受給電メスコネクタ１０に挿入することで、センサ３とＡＤモジュール１とを接続することが可能であり、ＮＷモジュール２の通信・受給電オスコネクタ２１を電源４の通信・受給電メスコネクタ４０に挿入することで、ＮＷモジュール２と電源４とを接続することが可能である。
【００２３】
ＮＷモジュール２は、電源４から電力供給を受けて動作すると共に、電源４から受電した電力を通信・受給電メスコネクタ２０を介してＡＤモジュール１に供給する。電源４としては、通信・受給電メスコネクタ４０を備え、ＡＤモジュール１とＮＷモジュール２（あるいはＡＤモジュール１とＮＷモジュール２とセンサ３）の動作に必要な電力容量を備えるものであれば、特に制限なく使用することができる。
通信・受給電メスコネクタ１０，２０，４０および通信・受給電オスコネクタ１１，２１，３０の例としては、例えばＵＳＢコネクタがある。
【００２４】
次に、ＡＤモジュール１とＮＷモジュール２の構成と動作をより詳細に説明する。図２はＡＤモジュール１の構成を示すブロック図である。ＡＤモジュール１は、通信・受給電メスコネクタ１０と、通信・受給電オスコネクタ１１と、通信・受給電メスコネクタ１０または通信・受給電オスコネクタ１１を通じた信号の送受信を制御するＵＳＢコントローラ１２と、ＡＤ変換部１３と、ＣＰＵ（Central Processing Unit）１４と、メモリ１５とを備えている。
【００２５】
ＡＤモジュール１の電源線には、通信・受給電メスコネクタ１０のプラス側の電源端子（ＶＢＵＳ）と通信・受給電オスコネクタ１１のプラス側の電源端子（ＶＢＵＳ）とを接続するプラス側の電源線１６と、通信・受給電メスコネクタ１０のＧＮＤ端子と通信・受給電オスコネクタ１１のＧＮＤ端子とを接続するマイナス側の電源線とがあるが、図２ではマイナス側の電源線の記載を省略している。
【００２６】
ＣＰＵ１４は、メモリ１５に格納されたプログラムに従って本実施例で説明する処理を実行し、暗号化部１４０とデータ送信部１４１とデータ読出部１４２とデータ補正部１４３とパラメータ設定部１４４とタイムスタンプ付加部１４５と温度データ付加部１４６と位置データ付加部１４７として機能する。
ＵＳＢコントローラ１２とＡＤ変換部１３とＣＰＵ１４とメモリ１５とは、通信・受給電オスコネクタ１１または通信・受給電メスコネクタ１０から電力供給を受けて動作する。
【００２７】
図３はＡＤモジュール１のセンサ３からの入力処理を説明するフローチャートである。最初に、ＡＤモジュール１のデータ読出部１４２は、通信・受給電メスコネクタ１０に接続されたセンサ３から、センサＩＤ（識別情報）データ、センサ調整データを読み出す（図３ステップＳ１００）。センサ調整データとしては、例えばレシオ・バイアスデータ、直線補正のための補正データなどがある。なお、このセンサＩＤ（識別情報）データ、センサ調整データの読み出しは、本発明において必須の処理ではない。
【００２８】
次に、ＡＤモジュール１のＡＤ変換部１３は、センサ３から通信・受給電メスコネクタ１０を介して受信したアナログ信号（例えば４−２０ｍＡ電流信号）をデジタルデータに変換する（図３ステップＳ１０１）。
【００２９】
ＡＤモジュール１のデータ補正部１４３は、データ補正が必要な場合に（図３ステップＳ１０２においてＹＥＳ）、デジタルデータの補正を行う（図３ステップＳ１０３）。データ補正が必要な場合とは、例えばデータ読出部１４２によってセンサ３から読み出されたセンサ調整データが存在する場合である。
【００３０】
補正処理としては、補正対象のデジタルデータが示す値に、レシオ・バイアスデータによって得られたレシオ（比率）を掛けてバイアスを加算する処理、あるいは補正対象のデジタルデータが示す値を補正データに基づいて直線補正する処理などがある。上記の説明から明らかなように、この補正処理は本発明において必須の処理ではない。
【００３１】
次に、ＡＤモジュール１の暗号化部１４０は、ＡＤ変換後のデジタルデータを暗号化し（図３ステップＳ１０４）、暗号化デジタルデータをメモリ１５に書き込む（図３ステップＳ１０５）。暗号化デジタルデータのメモリ１５への書き込みは、１サンプル前の暗号化デジタルデータを、最新の暗号化デジタルデータで更新する上書き保存でもよいし、最新の暗号化デジタルデータを追加していく追加保存でもよい。
【００３２】
ＡＤモジュール１は、例えばセンサ３の通信・受給電オスコネクタ３０が通信・受給電メスコネクタ１０から外されてセンサ３との接続が解除されるまで、あるいはＡＤモジュール１がＮＷモジュール２から外されて、あるいはＮＷモジュール２が電源４から外されて電力供給がなくなるまで電力供給がなくなるまで（図３ステップＳ１０６においてＹＥＳ）、ステップＳ１０１〜Ｓ１０５の処理を繰り返し行う。
【００３３】
なお、ＡＤモジュール１にタイムスタンプ付加部１４５を設け、現在時刻を示すタイムスタンプをＡＤ変換後のデジタルデータに付加するようにしてもよい。
また、ＡＤモジュール１に温度データ付加部１４６を設け、図示しない温度センサによって計測した周囲温度を示す温度データをＡＤ変換後のデジタルデータに付加するようにしてもよい。
また、ＡＤモジュール１に位置データ付加部１４７を設け、図示しないＧＰＳ（Global Positioning System）センサによって計測した現在位置を示す位置データをＡＤ変換後のデジタルデータに付加するようにしてもよい。
【００３４】
また、ＡＤモジュール１は、通信・受給電オスコネクタ１１を介してＮＷモジュール２から受電した電力を通信・受給電メスコネクタ１０を介してセンサ３に供給することが可能である。ただし、本発明において、センサ３への給電は必須の構成ではなく、センサ３はセンサ自身の電源で動作してもよい。
【００３５】
図４はＡＤモジュール１のＮＷモジュール２との通信処理を説明するフローチャートである。ＡＤモジュール１のデータ送信部１４１は、通信・受給電オスコネクタ１１およびＵＳＢコントローラ１２を介してＮＷモジュール２からデータ転送要求を受信したときに（図４ステップＳ２００においてＹＥＳ）、メモリ１５から暗号化デジタルデータを読み出し（図４ステップＳ２０１）、読み出した暗号化デジタルデータをＵＳＢコントローラ１２および通信・受給電オスコネクタ１１を介してＮＷモジュール２に送信する（図４ステップＳ２０２）。
【００３６】
上記のとおり、暗号化デジタルデータが上書き保存される場合には、１サンプル分の暗号化デジタルデータがＮＷモジュール２に送信され、暗号化デジタルデータが追加保存される場合には、メモリ１５に保存されている全ての暗号化デジタルデータが送信される。なお、送信後に、メモリ１５に追加保存されていたデータが削除されるようにしてもよい。
【００３７】
ＡＤモジュール１のパラメータ設定部１４４は、通信・受給電オスコネクタ１１およびＵＳＢコントローラ１２を介してＮＷモジュール２からＡＤ変換パラメータ設定データを受信したときに（図４ステップＳ２０３においてＹＥＳ）、ＡＤ変換パラメータ設定を行う（図４ステップＳ２０４）。このときのＡＤ変換パラメータとしては、例えばＡＤ変換部１３のサンプリング周期などがある。
【００３８】
ＡＤモジュール１は、例えばＡＤモジュール１がＮＷモジュール２から外されて、あるいはＮＷモジュール２が電源４から外されて電力供給がなくなるまで（図４ステップＳ２０５においてＹＥＳ）、ステップＳ２００〜Ｓ２０４の処理を繰り返し行う。
【００３９】
次に、ＮＷモジュール２の構成を図５を参照して説明する。ＮＷモジュール２は、通信・受給電メスコネクタ２０と、通信・受給電オスコネクタ２１と、アンテナ２２と、通信・受給電メスコネクタ２０または通信・受給電オスコネクタ２１を通じた信号の送受信を制御するＵＳＢコントローラ２３と、ＣＰＵ２４と、メモリ２５と、無線通信用の通信回路２６と、通信コネクタ２８と、有線通信用の通信回路２９とを備えている。
【００４０】
ＡＤモジュール１の場合と同様に、ＮＷモジュール２の電源線には、通信・受給電メスコネクタ２０のプラス側の電源端子（ＶＢＵＳ）と通信・受給電オスコネクタ２１のプラス側の電源端子（ＶＢＵＳ）とを接続するプラス側の電源線２７と、通信・受給電メスコネクタ２０のＧＮＤ端子と通信・受給電オスコネクタ２１のＧＮＤ端子とを接続するマイナス側の電源線とがあるが、図５ではマイナス側の電源線の記載を省略している。
【００４１】
ＣＰＵ２４は、メモリ２５に格納されたプログラムに従って本実施例で説明する処理を実行し、データ読出部２４０と通信部２４１とデータ受信部２４２とパラメータ設定部２４３として機能する。
ＵＳＢコントローラ２３とＣＰＵ２４とメモリ２５と通信回路２６とは、通信・受給電オスコネクタ２１または通信・受給電メスコネクタ２０から電力供給を受けて動作する。
【００４２】
図６はＮＷモジュール２のＡＤモジュール１との通信処理を説明するフローチャートである。ＮＷモジュール２のデータ読出部２４０は、ＵＳＢコントローラ２３および通信・受給電メスコネクタ２０を介してＡＤモジュール１にデータ転送要求を送信する（図６ステップＳ３００）。上記で説明したとおり、ＡＤモジュール１からはデータ転送要求に応じて暗号化デジタルデータが送信される。
【００４３】
データ読出部２４０は、通信・受給電メスコネクタ２０およびＵＳＢコントローラ２３を介してＡＤモジュール１から暗号化デジタルデータを受信すると（図６ステップＳ３０１においてＹＥＳ）、この暗号化デジタルデータをメモリ２５に書き込む（図６ステップＳ３０２）。
【００４４】
次に、ＮＷモジュール２のパラメータ設定部２４３は、ＮＷモジュール２の通信パラメータ設定が必要な場合に（図６ステップＳ３０３においてＹＥＳ）、通信回路２６または通信回路２９に対して通信パラメータ設定を行う（図６ステップＳ３０４）。また、パラメータ設定部２４３は、ＡＤモジュール１のパラメータ設定が必要な場合に（ステップＳ３０３においてＹＥＳ）、ＵＳＢコントローラ２３および通信・受給電メスコネクタ２０を介してＡＤモジュール１にＡＤ変換パラメータ設定データを送信する（ステップＳ３０４）。通信パラメータ設定が必要な場合とは、例えば後述のようにクラウドサーバから通信パラメータ設定データを受信した場合である。また、ＡＤモジュール１のパラメータ設定が必要な場合とは、クラウドサーバからＡＤ変換パラメータ設定データを受信した場合である。ＡＤ変換パラメータ設定データのＡＤモジュール１への送信により、上記のとおりＡＤモジュール１においてはＡＤ変換パラメータ設定が行われる。
【００４５】
ＮＷモジュール２は、例えばＡＤモジュール１の通信・受給電オスコネクタ１１が通信・受給電メスコネクタ２０から外されてＡＤモジュール１との接続が解除されるまで、あるいはＮＷモジュール２が電源４から外されて電力供給がなくなるまで（図６ステップＳ３０５においてＹＥＳ）、ステップＳ３００〜Ｓ３０４の処理を繰り返し行う。
【００４６】
図７はＮＷモジュール２のネットワークとの通信処理を説明するフローチャートである。ＮＷモジュール２の通信部２４１は、暗号化デジタルデータの送信タイミングになったときに（図７ステップＳ４００においてＹＥＳ）、メモリ２５から暗号化デジタルデータを取り出して通信回路２６に渡す。暗号化デジタルデータの送信タイミングとは、例えばメモリ２５に暗号化デジタルデータが格納され、送信が可能になったタイミングである。メモリ２５からの取り出しが行われた時点で、取り出された分の暗号化デジタルデータがメモリ２５上から無くなることは言うまでもない。
【００４７】
通信回路２６は、通信部２４１から渡された暗号化デジタルデータを無線信号に変換して、アンテナ２２からネットワーク上の所定のクラウドサーバ宛に無線送信する（図７ステップＳ４０１）。通信回路２６の無線通信規格としては、例えばＬＰＷＡ（Low Power Wide Area）、４Ｇなどがあるが、本発明はこれら無線通信規格に限定されるものではない。
【００４８】
また、ＮＷモジュール２のデータ受信部２４２は、アンテナ２２および通信回路２６を介してネットワーク上のクラウドサーバからパラメータ設定データ（通信パラメータ設定データまたはＡＤ変換パラメータ設定データ）を受信したときに（図７ステップＳ４０２においてＹＥＳ）、このパラメータ設定データをパラメータ設定部２４３に渡す（図７ステップＳ４０３）。これにより、上記のように通信パラメータ設定またはＡＤ変換パラメータ設定が行われる。
【００４９】
ＮＷモジュール２は、例えばＡＤモジュール１の通信・受給電オスコネクタ１１が通信・受給電メスコネクタ２０から外されてＡＤモジュール１との接続が解除されるまで、あるいはＮＷモジュール２が電源４から外されて電力供給がなくなるまで（図７ステップＳ４０４においてＹＥＳ）、ステップＳ４００〜Ｓ４０３の処理を繰り返し行う。
【００５０】
なお、本実施例では、ＡＤモジュール１から受信した暗号化デジタルデータをいったんメモリ２５に書き込んだ後で送信するようにしているが、これに限るものではなく、暗号化デジタルデータをメモリ２５に溜めずに送信するようにしてもよい。
【００５１】
図８は本実施例の計測システムの構成を示すブロック図である。センサ３をＡＤモジュール１に接続し、ＡＤモジュール１をＮＷモジュール２に接続し、ＮＷモジュール２を電源４に接続することで、上記の動作を実現することができ、暗号化デジタルデータをネットワーク１００を介してクラウドサーバ１０１に送信することができる。
【００５２】
クラウドサーバ１０１側では、暗号化デジタルデータを復号し、復号後のデジタルデータ（センサ３の計測結果）を蓄積したり、センサ３の計測結果をユーザーに提供したりすることが可能になることは言うまでもない。
【００５３】
なお、本実施例では、ＮＷモジュール２が無線通信を行う例を説明しているが、有線通信を行ってもよい。この場合、通信コネクタ２８を介してＮＷモジュール２をネットワークと接続すればよい。通信回路２９は、通信部２４１から渡された暗号化デジタルデータをパケットに変換して、通信コネクタ２８からネットワーク上の所定のクラウドサーバ宛に無線送信する（図７ステップＳ４０１）。また、通信回路２９は、通信コネクタ２８を介してネットワーク上のクラウドサーバからパケットを受信したときに、このパケットからパラメータ設定データを取り出して、データ受信部２４２に渡す（図７ステップＳ４０２）。通信回路２９の有線通信規格としては、例えばイーサネット（登録商標）などがあるが、本発明はこのような有線通信規格に限定されるものではない。
【００５４】
従来より、ＩｏＴ用のセンサおよび次世代の新しいセンサが開発されているが、社会実装に繋がるケースが少ない。その一つの要因として、ネットワークを介してデータを収集したり、制御したりするための計測システム構築の技術面と費用の課題があった。本実施例によれば、新しいセンサを開発したときに、計測システムを簡単かつ低コストで実現することができ、社会実装に繋げることができる。今後開発されるセンサの場合も、ＡＤモジュール１への入力の仕様をＡＤモジュール１の規格に合わせることで、直ぐに実証実験が可能となる。
【００５５】
また、特許文献１に開示されたＵＳＢ変換器では、コンピュータと接続する必要があったが、本実施例では、ＮＷモジュール２を、通信・受給電メスコネクタ４０を備えた電源４と接続すればよく、コンピュータと接続する必要はない。
【００５６】
また、本実施例では、暗号化デジタルデータを別の無線通信規格または有線通信規格で送信したい場合には、その無線通信規格または有線通信規格に対応したＮＷモジュール２に交換することで、無線通信規格または有線通信規格を簡単に切り替えることができる。
また、ＩｏＴでは、データの信頼性の面の課題も重要であるが、本実施例では、ＡＤ変換後のデジタルデータに対して自動的に暗号化を行うので、利用者は特に意識することなく、セキュリティ性を確保したデータ転送を実現できる。
【００５７】
［第２の実施例］
次に、本発明の第２の実施例について説明する。図９（Ａ）〜図９（Ｃ）は本発明の第２の実施例に係る電子回路モジュールであるアナログ出力モジュールとモニタモジュールとを示す図である。図９（Ａ）はアナログ出力モジュール５の外観を示し、図９（Ｂ）はモニタモジュール６の外観を示し、図９（Ｃ）はＡＤモジュール１にアナログ出力モジュール５を接続し、ＡＤモジュール１とモニタモジュール６とを接続し、さらにモニタモジュール６に電源４を接続した状態を示している。
【００５８】
アナログ出力モジュール５は、ＡＤモジュール１の通信・受給電メスコネクタ１０と着脱自在に嵌合する、ＡＤモジュール１とのデータ通信および受電用の通信・受給電オスコネクタ５０と、切替スイッチ５６とを備えている。アナログ出力モジュール５は、所定のアナログ信号を出力する機能と、通信・受給電オスコネクタ５０から受電する機能とを有している。
【００５９】
モニタモジュール６は、ＡＤモジュール１の通信・受給電オスコネクタ１１と着脱自在に嵌合する、ＡＤモジュール１とのデータ通信および給電用の通信・受給電メスコネクタ６０と、電源４の通信・受給電メスコネクタ４０と着脱自在に嵌合する、電源４からの受電用の通信・受給電オスコネクタ６１と、表示器６２とを備えている。モニタモジュール６は、通信・受給電メスコネクタ６０に接続されたモジュール（ＡＤモジュール１）からデータを読み出して表示する機能と、通信・受給電オスコネクタ６１（または通信・受給電メスコネクタ６０）から受電する機能とを有している。
【００６０】
このように、ＡＤモジュール１とアナログ出力モジュール５とモニタモジュール６と電源４とは、それぞれ同一規格のコネクタを備えており、アナログ出力モジュール５の通信・受給電オスコネクタ５０をＡＤモジュール１の通信・受給電メスコネクタ１０に挿入することで、アナログ出力モジュール５とＡＤモジュール１とを接続することができ、ＡＤモジュール１の通信・受給電オスコネクタ１１をモニタモジュール６の通信・受給電メスコネクタ６０に挿入することで、ＡＤモジュール１とモニタモジュール６とを接続することができ、さらにモニタモジュール６の通信・受給電オスコネクタ６１を電源４の通信・受給電メスコネクタ４０に挿入することで、モニタモジュール６と電源４とを接続することが可能である。
【００６１】
この場合、モニタモジュール６は、電源４から電力供給を受けて動作すると共に、電源４から受電した電力を通信・受給電メスコネクタ６０を介してＡＤモジュール１に供給する。ＡＤモジュール１は、モニタモジュール６から電力供給を受けて動作すると共に、モニタモジュール６から受電した電力を通信・受給電メスコネクタ１０を介してアナログ出力モジュール５に供給する。
【００６２】
アナログ出力モジュール５は、センサ３の出力を模したアナログ信号を出力する。ＡＤモジュール１の動作は、第１の実施例で説明したとおりである。モニタモジュール６は、通信・受給電メスコネクタ６０に接続されたＡＤモジュール１から暗号化デジタルデータを読み出して復号し、復号後のデジタルデータが示す値を数値表示する。
通信・受給電メスコネクタ６０および通信・受給電オスコネクタ５０，６１の例としては、第１の実施例と同様にＵＳＢコネクタがある。
【００６３】
アナログ出力モジュール５とモニタモジュール６の構成と動作をより詳細に説明する。図１０はアナログ出力モジュール５の構成を示すブロック図である。アナログ出力モジュール５は、通信・受給電オスコネクタ５０と、通信・受給電オスコネクタ５０を通じた信号の送出を制御するＵＳＢコントローラ５１と、ＣＰＵ５２と、メモリ５３と、ＤＡ（Digital-to-Analog）変換部５４とを備えている。ＤＡ変換部５４は、ＵＳＢコントローラ５１に内蔵されていてもよい。
【００６４】
アナログ出力モジュール５の電源線には、通信・受給電オスコネクタ５０のプラス側の電源端子（ＶＢＵＳ）と接続されるプラス側の電源線５５と、通信・受給電オスコネクタ５０のＧＮＤ端子と接続されるマイナス側の電源線とがあるが、図１０ではマイナス側の電源線の記載を省略している。
【００６５】
ＣＰＵ５２は、メモリ５３に格納されたプログラムに従って本実施例で説明する処理を実行し、データ出力部５２０とデータ設定部５２１として機能する。
ＵＳＢコントローラ５１とＣＰＵ５２とメモリ５３とＤＡ変換部５４とは、通信・受給電オスコネクタ５０から電力供給を受けて動作する。
【００６６】
図１１はアナログ出力モジュール５のＡＤモジュール１への出力処理を説明するフローチャートである。最初に、アナログ出力モジュール５のデータ出力部５２０は、メモリ５３に予め設定されているデジタルデータを読み出して、このデジタルデータをＤＡ変換部５４に出力する（図１１ステップＳ５００）。
【００６７】
アナログ出力モジュール５のＤＡ変換部５４は、データ出力部５２０から受け取ったデジタルデータをＤＡ変換し（図１１ステップＳ５０１）、ＤＡ変換後のアナログ信号（例えば４−２０ｍＡ電流信号）を、ＵＳＢコントローラ５１および通信・受給電オスコネクタ５０を介してＡＤモジュール１へ出力する（図１１ステップＳ５０２）。
【００６８】
アナログ出力モジュール５は、例えばアナログ出力モジュール５がＡＤモジュール１から外されて、あるいはモニタモジュール６が電源４から外されて電力供給がなくなるまで（図１１ステップＳ５０３においてＹＥＳ）、ステップＳ５００〜Ｓ５０２の処理を繰り返し行う。
【００６９】
なお、アナログ出力モジュール５のデータ設定部５２１は、データ出力部５２０が読み出すデジタルデータの値を、例えばユーザーが切替スイッチ５６を操作することによって、予め登録されている値の中の別の値に変更することが可能である。これにより、アナログ出力モジュール５から出力されるアナログ信号の値を変えることができる。
【００７０】
次に、モニタモジュール６の構成を図１２を参照して説明する。モニタモジュール６は、通信・受給電メスコネクタ６０と、通信・受給電オスコネクタ６１と、表示器６２と、通信・受給電メスコネクタ６０または通信・受給電オスコネクタ６１を通じた信号の受信を制御するＵＳＢコントローラ６３と、ＣＰＵ６４と、メモリ６５とを備えている。
【００７１】
ＡＤモジュール１の場合と同様に、モニタモジュール６の電源線には、通信・受給電メスコネクタ６０のプラス側の電源端子（ＶＢＵＳ）と通信・受給電オスコネクタ６１のプラス側の電源端子（ＶＢＵＳ）とを接続するプラス側の電源線６６と、通信・受給電メスコネクタ６０のＧＮＤ端子と通信・受給電オスコネクタ６１のＧＮＤ端子とを接続するマイナス側の電源線とがあるが、図１２ではマイナス側の電源線の記載を省略している。
【００７２】
ＣＰＵ６４は、メモリ６５に格納されたプログラムに従って本実施例で説明する処理を実行し、データ読出部６４０と復号部６４１とデータ表示部６４２として機能する。
表示器６２とＵＳＢコントローラ６３とＣＰＵ６４とメモリ６５とは、通信・受給電オスコネクタ６１または通信・受給電メスコネクタ６０から電力供給を受けて動作する。
【００７３】
図１３はモニタモジュール６の表示処理を説明するフローチャートである。モニタモジュール６のデータ読出部６４０は、ＵＳＢコントローラ６３および通信・受給電メスコネクタ６０を介してＡＤモジュール１にデータ転送要求を送信する（図１３ステップＳ６００）。第１の実施例で説明したとおり、ＡＤモジュール１からはデータ転送要求に応じて暗号化デジタルデータが送信される。
【００７４】
データ読出部６４０は、通信・受給電メスコネクタ６０およびＵＳＢコントローラ６３を介してＡＤモジュール１から暗号化デジタルデータを受信すると（図１３ステップＳ６０１においてＹＥＳ）、この暗号化デジタルデータをメモリ６５に書き込む（図１３ステップＳ６０２）。
【００７５】
続いて、モニタモジュール６の復号部６４１は、メモリ６５に格納された暗号化デジタルデータを復号する（図１３ステップＳ６０３）。
次に、モニタモジュール６のデータ表示部６４２は、復号部６４１によって復号されたデジタルデータが示す値を、表示器６２に数値表示させる（図１３ステップＳ６０４）。表示器６２としては、例えば液晶パネル、ＬＥＤ表示器等がある。
【００７６】
モニタモジュール６は、例えばＡＤモジュール１が通信・受給電メスコネクタ６０から外されてＡＤモジュール１との接続が解除されるまで、あるいはモニタモジュール６が電源４から外されて電力供給がなくなるまで（図１３ステップＳ６０５においてＹＥＳ）、ステップＳ６００〜Ｓ６０４の処理を繰り返し行う。
【００７７】
こうして、本実施例では、既知の値のアナログ信号をアナログ出力モジュール５からＡＤモジュール１に入力し、図９（Ｃ）のようにＡＤモジュール１の出力結果の値をモニタモジュール６の表示器６２に表示させることで、ＡＤモジュール１の性能を検査することができる。
【００７８】
［第３の実施例］
次に、本発明の第３の実施例について説明する。図１４（Ａ）、図１４（Ｂ）は本発明の第３の実施例に係る電子回路モジュールであるセンサ接続モジュールを示す図である。図１４（Ａ）はセンサ接続モジュール７の外観を示し、図１４（Ｂ）はＡＤモジュール１にセンサ接続モジュール７を接続した状態を示している。
【００７９】
センサ接続モジュール７は、アナログ信号出力のための通信・受給電オスコネクタ７０と、センサとの接続のためのねじ端子７１〜７４とを備えている。
第１、第２の実施例では、ＡＤモジュール１に繋ぐセンサとして、通信・受給電コネクタ（ＵＳＢコネクタ）との接続が可能なセンサ３を想定しており、通信・受給電コネクタを備えていないセンサをＡＤモジュール１に接続することはできない。
【００８０】
これに対して、本実施例では、図１（Ｂ）に示すようにセンサ接続モジュール７の通信・受給電オスコネクタ７０をＡＤモジュール１の通信・受給電メスコネクタ１０に挿入し、センサ３ａの信号線３１〜３４をセンサ接続モジュール７のねじ端子７１〜７４にねじ留めすることにより、センサ接続モジュール７を介してセンサ３ａをＡＤモジュール１に接続することが可能である。
【００８１】
センサ接続モジュール７は、例えばねじ端子７２，７４（アナログ信号入力端子とＧＮＤ端子）に入力されたセンサ３ａからのアナログ信号を通信・受給電オスコネクタ７０を介してＡＤモジュール１に出力する。また、センサ接続モジュール７は、ねじ端子７３（デジタル信号入力端子）に入力されたセンサ３ａからのデジタルデータ（センサＩＤデータ、センサ調整データ）を通信・受給電オスコネクタ７０を介してＡＤモジュール１に出力する。ねじ端子７１は、プラス側の電源端子（ＶＢＵＳ）である。
【００８２】
［第４の実施例］
第１、第２の実施例では、ＡＤモジュール１に暗号化機能が搭載されていることを前提としているが、暗号化機能をモジュール化してもよい。図１５（Ａ）〜図１５（Ｃ）は本発明の第４の実施例に係る電子回路モジュールであるＡＤモジュールと暗号化モジュールとを示す図である。図１５（Ａ）はＡＤモジュール１ａと暗号化モジュール８の個々の外観を示し、図１５（Ｂ）はＡＤモジュール１ａと暗号化モジュール８とを接続した状態を示し、図１５（Ｃ）はさらに暗号化モジュール８にＮＷモジュール２を接続し、ＮＷモジュール２に電源４を接続した状態を示している。
【００８３】
ＡＤモジュール１ａは、通信・受給電メスコネクタ１０と、通信・受給電オスコネクタ１１とを備えている。ＡＤモジュール１ａは、通信・受給電メスコネクタ１０から入力されたアナログ信号をＡＤ変換して、ＡＤ変換後のデジタルデータを蓄積する機能と、通信・受給電オスコネクタ１１（または通信・受給電メスコネクタ１０）から受電する機能と、受電した電力を通信・受給電メスコネクタ１０（または通信・受給電オスコネクタ１１）を介して外部へ給電する機能とを有している。
【００８４】
暗号化モジュール８は、ＡＤモジュール１ａの通信・受給電オスコネクタ１１と着脱自在に嵌合する、ＡＤモジュール１ａとのデータ通信および給電用の通信・受給電メスコネクタ８０と、ＮＷモジュール２の通信・受給電メスコネクタ２０と着脱自在に嵌合する、ＮＷモジュール２とのデータ通信および受電用の通信・受給電オスコネクタ８１とを備えている。暗号化モジュール８は、通信・受給電メスコネクタ８０に接続されたモジュール（ＡＤモジュール１ａ）からデータを読み出し、データを暗号化して蓄積する機能と、通信・受給電オスコネクタ８１（または通信・受給電メスコネクタ８０）から受電する機能と、受電した電力を通信・受給電メスコネクタ８０（または通信・受給電オスコネクタ８１）を介して外部へ給電する機能とを有している。
【００８５】
次に、ＡＤモジュール１ａと暗号化モジュール８の構成と動作をより詳細に説明する。図１６はＡＤモジュール１ａの構成を示すブロック図であり、図２と同一の構成には同一の符号を付してある。ＡＤモジュール１ａは、通信・受給電メスコネクタ１０と、通信・受給電オスコネクタ１１と、ＵＳＢコントローラ１２と、ＡＤ変換部１３と、ＣＰＵ１４ａと、メモリ１５とを備えている。
【００８６】
ＣＰＵ１４ａは、メモリ１５に格納されたプログラムに従って本実施例で説明する処理を実行し、データ送信部１４１とデータ読出部１４２とデータ補正部１４３とパラメータ設定部１４４とタイムスタンプ付加部１４５と温度データ付加部１４６と位置データ付加部１４７とデータ書込部１４８として機能する。
ＵＳＢコントローラ１２とＡＤ変換部１３とＣＰＵ１４ａとメモリ１５とは、通信・受給電オスコネクタ１１または通信・受給電メスコネクタ１０から電力供給を受けて動作する。
【００８７】
図１７はＡＤモジュール１ａのセンサ３からの入力処理を説明するフローチャートである。ＡＤモジュール１ａのデータ読出部１４２とＡＤ変換部１３とデータ補正部１４３の動作（図１７ステップＳ１００〜Ｓ１０３）は、第１の実施例で説明したとおりである。
【００８８】
ＡＤモジュール１ａのデータ書込部１４８は、ＡＤ変換後のデジタルデータをメモリ１５に書き込む（図１７ステップＳ１０７）。第１の実施例と同様に、デジタルデータのメモリ１５への書き込みは、１サンプル前のデジタルデータを、最新のデジタルデータで更新する上書き保存でもよいし、最新のデジタルデータを追加していく追加保存でもよい。
【００８９】
ＡＤモジュール１ａは、例えばセンサ３の通信・受給電オスコネクタ３０が通信・受給電メスコネクタ１０から外されてセンサ３との接続が解除されるまで、あるいはＡＤモジュール１ａが暗号化モジュール８から外されて、あるいはＮＷモジュール２が電源４から外されて電力供給がなくなるまで（図１７ステップＳ１０８においてＹＥＳ）、ステップＳ１０１〜Ｓ１０３，Ｓ１０７の処理を繰り返し行う。
【００９０】
図１８はＡＤモジュール１ａの暗号化モジュール８との通信処理を説明するフローチャートである。
ＡＤモジュール１ａのデータ送信部１４１は、通信・受給電オスコネクタ１１およびＵＳＢコントローラ１２を介して暗号化モジュール８からデータ転送要求を受信したときに（図１８ステップＳ２１０においてＹＥＳ）、メモリ１５からデジタルデータを読み出し（図１８ステップＳ２１１）、読み出した暗号化デジタルデータをＵＳＢコントローラ１２および通信・受給電オスコネクタ１１を介して暗号化モジュール８に送信する（図１８ステップＳ２１２）。
【００９１】
上記のとおり、デジタルデータが上書き保存される場合には、１サンプル分のデジタルデータが暗号化モジュール８に送信され、デジタルデータが追加保存される場合には、メモリ１５に保存されている全てのデジタルデータが送信される。なお、送信後に、メモリ１５に追加保存されていたデータが削除されるようにしてもよい。
【００９２】
ＡＤモジュール１ａのパラメータ設定部１４４は、通信・受給電オスコネクタ１１、ＵＳＢコントローラ１２および暗号化モジュール８を介してＮＷモジュール２からＡＤ変換パラメータ設定データを受信したときに（図１８ステップＳ２１３においてＹＥＳ）、ステップＳ２０４と同様にＡＤ変換パラメータ設定を行う（図１８ステップＳ２１４）。
【００９３】
ＡＤモジュール１ａは、例えばＡＤモジュール１ａが暗号化モジュール８から外されて、あるいはＮＷモジュール２が電源４から外されて電力供給がなくなるまで（図１８ステップＳ２１５においてＹＥＳ）、ステップＳ２１０〜Ｓ２１４の処理を繰り返し行う。
【００９４】
次に、暗号化モジュール８の構成を図１９を参照して説明する。暗号化モジュール８は、通信・受給電メスコネクタ８０と、通信・受給電オスコネクタ８１と、通信・受給電メスコネクタ８０または通信・受給電オスコネクタ８１を通じた信号の送受信を制御するＵＳＢコントローラ８２と、ＣＰＵ８３と、メモリ８４とを備えている。
【００９５】
ＡＤモジュール１の場合と同様に、暗号化モジュール８の電源線には、通信・受給電メスコネクタ８０のプラス側の電源端子（ＶＢＵＳ）と通信・受給電オスコネクタ８１のプラス側の電源端子（ＶＢＵＳ）とを接続するプラス側の電源線８５と、通信・受給電メスコネクタ８０のＧＮＤ端子と通信・受給電オスコネクタ８１のＧＮＤ端子とを接続するマイナス側の電源線とがあるが、図１９ではマイナス側の電源線の記載を省略している。
【００９６】
ＣＰＵ８３は、メモリ８４に格納されたプログラムに従って本実施例で説明する処理を実行し、データ読出部８４０と暗号化部８４１とデータ送信部８４２とデータ受信部８４３とデータ転送部８４４として機能する。
ＵＳＢコントローラ８２とＣＰＵ８３とメモリ８４とは、通信・受給電オスコネクタ８１または通信・受給電メスコネクタ８０から電力供給を受けて動作する。
【００９７】
図２０は暗号化モジュール８のＡＤモジュール１ａとの通信処理を説明するフローチャートである。暗号化モジュール８のデータ読出部８４０は、ＵＳＢコントローラ８２および通信・受給電メスコネクタ８０を介してＡＤモジュール１ａにデータ転送要求を送信する（図２０ステップＳ７００）。上記で説明したとおり、ＡＤモジュール１ａからはデータ転送要求に応じてデジタルデータが送信される。
【００９８】
データ読出部８４０は、通信・受給電メスコネクタ８０およびＵＳＢコントローラ８２を介してＡＤモジュール１ａからデジタルデータを受信すると（図２０ステップＳ７０１においてＹＥＳ）、このデジタルデータをメモリ８４に書き込む（図２０ステップＳ７０２）。
【００９９】
続いて、暗号化モジュール８の暗号化部８４１は、メモリ８４に格納されたデジタルデータを暗号化し（図２０ステップＳ７０３）、暗号化デジタルデータをメモリ８４に書き込む（図２０ステップＳ７０４）。暗号化デジタルデータのメモリ８４への書き込みは、上書き保存でもよいし、追加保存でもよい。
【０１００】
暗号化モジュール８のデータ転送部８４４は、データ転送が必要な場合に（図２０ステップＳ７０５においてＹＥＳ）、転送すべきデータをＵＳＢコントローラ８２および通信・受給電メスコネクタ８０を介してＡＤモジュール１ａに送信する（図２０ステップＳ７０６）。データ転送が必要な場合とは、例えば後述のようにＮＷモジュール２からＡＤモジュール１ａ宛のＡＤ変換パラメータ設定データを受信した場合である。ＡＤ変換パラメータ設定データのＡＤモジュール１ａへの送信により、第１の実施例と同様にＡＤモジュール１ａにおいてはＡＤ変換パラメータ設定が行われる。
【０１０１】
暗号化モジュール８は、例えばＡＤモジュール１ａの通信・受給電オスコネクタ１１が通信・受給電メスコネクタ８０から外されてＡＤモジュール１ａとの接続が解除されるまで、あるいは暗号化モジュール８がＮＷモジュール２から外されて、あるいはＮＷモジュール２が電源４から外されて電力供給がなくなるまで（図２０ステップＳ７０７においてＹＥＳ）、ステップＳ７００〜Ｓ７０６の処理を繰り返し行う。
【０１０２】
図２１は暗号化モジュール８のＮＷモジュール２との通信処理を説明するフローチャートである。暗号化モジュール８のデータ送信部８４２は、通信・受給電オスコネクタ８１およびＵＳＢコントローラ８２を介してＮＷモジュール２からデータ転送要求を受信したときに（図２１ステップＳ８００においてＹＥＳ）、メモリ８４から暗号化デジタルデータを読み出し（図２１ステップＳ８０１）、読み出した暗号化デジタルデータをＵＳＢコントローラ８２および通信・受給電オスコネクタ８１を介してＮＷモジュール２に送信する（図２１ステップＳ８０２）。
【０１０３】
暗号化モジュール８のデータ受信部８４３は、通信・受給電オスコネクタ８１およびＵＳＢコントローラ８２を介してＮＷモジュール２からＡＤモジュール１ａ宛のＡＤ変換パラメータ設定データを受信したときに（図２１ステップＳ８０３においてＹＥＳ）、このＡＤ変換パラメータ設定データをデータ転送部８４４に渡す（図２１ステップＳ８０４）。これにより、上記のようにＡＤ変換パラメータ設定データのＡＤモジュール１ａへの転送が行われる。
【０１０４】
暗号化モジュール８は、例えば通信・受給電オスコネクタ８１がＮＷモジュール２の通信・受給電メスコネクタ２０から外されてＮＷモジュール２との接続が解除されるまで、あるいはＮＷモジュール２が電源４から外されて電力供給がなくなるまで（図２１ステップＳ８０５においてＹＥＳ）、ステップＳ８００〜Ｓ８０４の処理を繰り返し行う。
【０１０５】
ＮＷモジュール２の動作は第１の実施例で説明したとおりである。こうして、本実施例では、第１の実施例と同様の効果を得ることができる。
また、本実施例では、デジタルデータを別の暗号化方式で暗号化して送信したい場合に、その暗号化方式に対応した暗号化モジュール８に交換することで、暗号化方式を簡単に切り替えることができる。
【０１０６】
［第５の実施例］
次に、本発明の第５の実施例について説明する。図２２（Ａ）、図２２（Ｂ）は本発明の第５の実施例に係る電子回路モジュールであるモニタモジュールを示す図である。図２２（Ａ）はモニタモジュール６ａの外観を示し、図２２（Ｂ）はＡＤモジュール１ａにアナログ出力モジュール５を接続し、ＡＤモジュール１ａとモニタモジュール６ａとを接続し、さらにモニタモジュール６ａに電源４を接続した状態を示している。
【０１０７】
アナログ出力モジュール５については第２の実施例で説明したとおりである。本実施例のモニタモジュール６ａは、第４の実施例のＡＤモジュール１ａに対応するものである。
モニタモジュール６ａは、通信・受給電メスコネクタ６０と、通信・受給電オスコネクタ６１と、表示器６２とを備えている。モニタモジュール６ａは、通信・受給電メスコネクタ６０に接続されたモジュール（ＡＤモジュール１ａ）からデータを読み出して表示する機能と、通信・受給電オスコネクタ６１（または通信・受給電メスコネクタ６０）から受電する機能とを有している。
【０１０８】
次に、モニタモジュール６ａの構成と動作をより詳細に説明する。図２３はモニタモジュール６ａの構成を示すブロック図であり、図１２と同一の構成には同一の符号を付してある。モニタモジュール６ａは、通信・受給電メスコネクタ６０と、通信・受給電オスコネクタ６１と、表示器６２と、ＵＳＢコントローラ６３と、ＣＰＵ６４ａと、メモリ６５とを備えている。
【０１０９】
ＣＰＵ６４ａは、メモリ６５に格納されたプログラムに従って本実施例で説明する処理を実行し、データ読出部６４０ａとデータ表示部６４２ａとして機能する。
表示器６２とＵＳＢコントローラ６３とＣＰＵ６４ａとメモリ６５とは、通信・受給電オスコネクタ６１または通信・受給電メスコネクタ６０から電力供給を受けて動作する。
【０１１０】
図２４はモニタモジュール６ａの表示処理を説明するフローチャートである。モニタモジュール６ａのデータ読出部６４０ａは、ＵＳＢコントローラ６３および通信・受給電メスコネクタ６０を介してＡＤモジュール１ａにデータ転送要求を送信する（図２４ステップＳ９００）。第４の実施例で説明したとおり、ＡＤモジュール１ａからはデータ転送要求に応じてデジタルデータが送信される。
【０１１１】
データ読出部６４０ａは、通信・受給電メスコネクタ６０およびＵＳＢコントローラ６３を介してＡＤモジュール１ａからデジタルデータを受信すると（図２４ステップＳ９０１においてＹＥＳ）、このデジタルデータをメモリ６５に書き込む（図２４ステップＳ９０２）。
【０１１２】
続いて、モニタモジュール６ａのデータ表示部６４２ａは、メモリ６５に格納されたデジタルデータが示す値を、表示器６２に数値表示させる（図２４ステップＳ９０３）。
モニタモジュール６ａは、例えばＡＤモジュール１ａが通信・受給電メスコネクタ６０から外されてＡＤモジュール１ａとの接続が解除されるまで、あるいはモニタモジュール６ａが電源４から外されて電力供給がなくなるまで（図２４ステップＳ９０４においてＹＥＳ）、ステップＳ９００〜Ｓ９０３の処理を繰り返し行う。
【０１１３】
こうして、本実施例では、既知の値のアナログ信号をアナログ出力モジュール５からＡＤモジュール１ａに入力し、図２２（Ｂ）のようにＡＤモジュール１ａの出力結果の値をモニタモジュール６ａの表示器６２に表示させることで、ＡＤモジュール１ａの性能を検査することができる。
【０１１４】
［第６の実施例］
次に、本発明の第６の実施例について説明する。図２５は本発明の第６の実施例に係る電子回路モジュールであるストレージモジュールを示す図である。ストレージモジュール９は、他のモジュールの通信・受給電オスコネクタと着脱自在に嵌合する、データ通信および給電用の通信・受給電メスコネクタ９０と、他のモジュールの通信・受給電メスコネクタと着脱自在に嵌合する、データ通信および受電用の通信・受給電オスコネクタ９１とを備えている。ストレージモジュール９は、他のモジュール（ＡＤモジュール１）からのデータを蓄積する機能と、通信・受給電オスコネクタ９１（または通信・受給電メスコネクタ９０）から受電する機能と、受電した電力を通信・受給電メスコネクタ９０（または通信・受給電オスコネクタ９１）を介して外部へ給電する機能とを有している。
【０１１５】
図２６はストレージモジュール９の構成を示すブロック図である。ストレージモジュール９は、通信・受給電メスコネクタ９０と、通信・受給電オスコネクタ９１と、通信・受給電メスコネクタ９０または通信・受給電オスコネクタ９１を通じた信号の送受信を制御するＵＳＢコントローラ９２と、ＣＰＵ９３と、メモリ９４とを備えている。
【０１１６】
ストレージモジュール９の電源線には、通信・受給電メスコネクタ９０のプラス側の電源端子（ＶＢＵＳ）と通信・受給電オスコネクタ９１のプラス側の電源端子（ＶＢＵＳ）とを接続するプラス側の電源線９５と、通信・受給電メスコネクタ９０のＧＮＤ端子と通信・受給電オスコネクタ９１のＧＮＤ端子とを接続するマイナス側の電源線とがあるが、図２６ではマイナス側の電源線の記載を省略している。
【０１１７】
ＣＰＵ９３は、メモリ９４に格納されたプログラムに従って本実施例で説明する処理を実行し、データ受信部９３０とデータ送信部９３１として機能する。
ＵＳＢコントローラ９２とＣＰＵ９３とメモリ９４とは、通信・受給電オスコネクタ９１または通信・受給電メスコネクタ９０から電力供給を受けて動作する。
【０１１８】
図２７は通信・受給電メスコネクタ９０側に接続される他のモジュール（例えばＡＤモジュール１，１ａあるいは暗号化モジュール９）とストレージモジュール９との通信処理を説明するフローチャートである。
ストレージモジュール９のデータ受信部９３０は、通信・受給電メスコネクタ９０およびＵＳＢコントローラ９２を介して他のモジュール（例えばＡＤモジュール１，１ａあるいは暗号化モジュール９）からデジタルデータを受信すると（図２７ステップＳ１０００においてＹＥＳ）、このデジタルデータをメモリ９４に書き込む（図２７ステップＳ１００１）。
【０１１９】
ストレージモジュール９は、例えば通信・受給電メスコネクタ９０あるいは通信・受給電オスコネクタ９１が他のモジュールから外されて電力供給がなくなるまで（図２７ステップＳ１００２においてＹＥＳ）、ステップＳ１０００〜Ｓ１００１の処理を繰り返し行う。なお、他の実施例と同様に、他のモジュールにデータ転送要求を送信して、このデータ転送要求に応じて送られてくるデジタルデータを受信するようにしてもよい。
【０１２０】
図２８は通信・受給電オスコネクタ９１側に接続される他のモジュール（例えばＮＷモジュール２）とストレージモジュール９との通信処理を説明するフローチャートである。
ストレージモジュール９のデータ送信部９３１は、通信・受給電オスコネクタ９１およびＵＳＢコントローラ９２を介して他のモジュール（例えばＮＷモジュール２）からデータ転送要求を受信したときに（図２８ステップＳ１１００においてＹＥＳ）、メモリ９４からデジタルデータを読み出し（図２８ステップＳ１１０１）、読み出したデジタルデータをＵＳＢコントローラ９２および通信・受給電オスコネクタ９１を介して他のモジュールに送信する（図２８ステップＳ１１０２）。
【０１２１】
ストレージモジュール９は、例えば通信・受給電メスコネクタ９０あるいは通信・受給電オスコネクタ９１が他のモジュールから外されて電力供給がなくなるまで（図２８ステップＳ１１０３においてＹＥＳ）、ステップＳ１１００〜Ｓ１１０２の処理を繰り返し行う。
【０１２２】
こうして、本実施例では、例えばＡＤモジュール１，１ａあるいは暗号化モジュール９からのデジタルデータをストレージモジュール９にいったん蓄積することができる。
【０１２３】
なお、第１〜第６の実施例では、通信・受給電コネクタとしてＵＳＢコネクタを採用しているが、ＵＳＢコネクタ以外の通信・受給電コネクタを用いてもよい。
【０１２４】
また、第１〜第６の実施例では、各モジュールの通信・受給電コネクタとＣＰＵとの間の通信にＵＳＢコントローラを用いているが、これに限るものではなく、ＵＳＢコントローラを経由することなく、あるいはＵＳＢコントローラ以外の手段を用いて、通信・受給電コネクタとＣＰＵとの間の通信を実現してもよい。
【０１２５】
また、第１〜第６の実施例では、ＡＤモジュール１，１ａを直接または間接的にＮＷモジュール２に接続する例を説明したが、これに限るものではなく、ＡＤモジュール１，１ａを直接コンピュータに接続したり、ＡＤモジュール１ａを暗号化モジュール８を介してコンピュータに接続したりして、暗号化デジタルデータまたはデジタルデータをコンピュータで読み出せるようにしてもよい。
【産業上の利用可能性】
【０１２６】
本発明は、センサからのデータを収集する計測システムに適用することができる。
【符号の説明】
【０１２７】
１，１ａ…ＡＤモジュール、２…ネットワークモジュール、３，３ａ…センサ、４…電源、５…アナログ出力モジュール、６，６ａ…モニタモジュール、７…センサ接続モジュール、８…暗号化モジュール、９…ストレージモジュール、１０，２０，４０，６０，９０…通信・受給電メスコネクタ、１１，２１，３０，５０，６１，７０，９１…通信・受給電オスコネクタ、１２，２３，５１，６３，８２，９２…ＵＳＢコントローラ、１３…ＡＤ変換部、１４，１４ａ，２４，５２，６４，６４ａ，８３，９３…ＣＰＵ、１５，２５，５３，６５，８４，９４…メモリ、１６，２７，６６，８５…電源線、２２…アンテナ、２６，２９…通信回路、２８…通信コネクタ、３１〜３４…信号線、５４…ＤＡ変換部、５６…切替スイッチ、６２…表示器、７１〜７４…ねじ端子、１００…ネットワーク、１０１…クラウドサーバ、１４０，８４１…暗号化部、１４１，８４２，９３１…データ送信部、１４２，２４０，６４０，６４０ａ，８４０…データ読出部、１４３…データ補正部、１４４，２４３…パラメータ設定部、１４５…タイムスタンプ付加部、１４６…温度データ付加部、１４７…位置データ付加部、１４８…データ書込部、２４１…通信部、２４２，８４３，９３０…データ受信部、５２０…データ出力部、５２１…データ設定部、６４１…復号部、６４２，６４２ａ…データ表示部、８４４…データ転送部。
【図１】
2020067856.tif 000003
【図２】
2020067856.tif 000004
【図３】
2020067856.tif 000005
【図４】
2020067856.tif 000006
【図５】
2020067856.tif 000007
【図６】
2020067856.tif 000008
【図７】
2020067856.tif 000009
【図８】
2020067856.tif 000010
【図９】
2020067856.tif 000011
【図１０】
2020067856.tif 000012
【図１１】
2020067856.tif 000013
【図１２】
2020067856.tif 000014
【図１３】
2020067856.tif 000015
【図１４】
2020067856.tif 000016
【図１５】
2020067856.tif 000017
【図１６】
2020067856.tif 000018
【図１７】
2020067856.tif 000019
【図１８】
2020067856.tif 000020
【図１９】
2020067856.tif 000021
【図２０】
2020067856.tif 000022
【図２１】
2020067856.tif 000023
【図２２】
2020067856.tif 000024
【図２３】
2020067856.tif 000025
【図２４】
2020067856.tif 000026
【図２５】
2020067856.tif 000027
【図２６】
2020067856.tif 000028
【図２７】
2020067856.tif 000029
【図２８】
2020067856.tif 000030